(57)【要約】【課題】メールシステムにおけるメールアカウント情報の設定効率が悪い。【解決手段】第一のメールアカウント情報生成設定部１０は、ユニークな識別情報から第一のメールアカウント情報を生成し、生成された第一のメールアカウント情報を第一の記憶部１１に設定する。メールクライアント機能制御部１２は、第一の記憶部１１における第一のメールアカウント情報を用いてメールサーバ装置２とメール送受信を行う。第二のメールアカウント情報生成設定部２０は、上記ユニークな識別情報から第二のメールアカウント情報を生成し、生成された第二のメールアカウント情報を第二の記憶部２１に設定する。メールサーバ機能制御部２２は、第二の記憶部２１における第二のメールアカウント情報を用いてクライアント装置１とメール送受信を行う。【選択図】      図１
2010009107.tif 000002
【特許請求の範囲】
【請求項１】
第一の記憶部と、ユニークな識別情報から第一のメールアカウント情報を生成し、生成された前記第一のメールアカウント情報を前記第一の記憶部に設定する第一のメールアカウント情報生成設定部と、前記第一の記憶部における前記第一のメールアカウント情報を用いてメールサーバ装置とネットワークを介してメール送受信を行うメールクライアント機能制御部とを含むクライアント装置と、
第二の記憶部と、前記ユニークな識別情報から第二のメールアカウント情報を生成し、生成された前記第二のメールアカウント情報を前記第二の記憶部に設定する第二のメールアカウント情報生成設定部と、前記第二の記憶部における前記第二のメールアカウント情報を用いて前記クライアント装置と前記ネットワークを介してメール送受信を行うメールサーバ機能制御部を含むメールサーバ装置と、
を含むメールシステム。
【請求項２】
前記クライアント装置は、前記ユニークな識別情報を格納する識別情報格納部を前記第一の記憶部に備え、前記第一のメールアカウント情報生成設定部は、前記識別情報格納部に格納された前記ユニークな識別情報から前記第一のメールアカウント情報を生成することを特徴とする請求項１に記載のメールシステム。
【請求項３】
前記第一の記憶部は、不揮発性メモリで構成され、
さらに、前記メールシステムは、前記ユニークな識別情報を前記不揮発性メモリのメモリチップ単体に書き込む生産設備を含む請求項１乃至２のいずれかに記載のメールシステム。
【請求項４】
前記第一のメールアカウント情報生成設定部は、前記ユニークな識別情報から、予め定められたアルゴリズムに基づいて前記第一のメールアカウント情報を生成するアカウント情報生成部を含む請求項１乃至３のいずれかに記載のメールシステム。
【請求項５】
前記第二のメールアカウント情報生成設定部は、前記ユニークな識別情報から、予め定められたアルゴリズムに基づいて前記第二のメールアカウント情報を生成するアカウント情報生成部を含む請求項４に記載のメールシステム。
【請求項６】
前記アルゴリズムは、前記ユニークな識別情報をアナグラム処理し、アナグラム処理された情報をランダムな文字に文字変換し、変換された文字を結合する処理を含むことを特徴とする請求項４又は５に記載のメールシステム。
【請求項７】
前記ユニークな識別子は、前記クライアント装置のロット番号であることを特徴とする請求項１乃至６のいずれかに記載のメールシステム。
【請求項８】
前記第一のメールアカウント情報は、少なくともメールアドレス、ＳＭＴＰサーバ名、ＳＭＴＰポート番号、ＰＯＰサーバ名、ＰＯＰポート番号、ＰＯＰ３ユーザ名、ＰＯＰ３パスワードを含むことを特徴とする請求項１乃至７のいずれかに記載のメールシステム。
【請求項９】
前記第二のメールアカウント情報は、少なくともメールアドレス、ＰＯＰ３パスワード、ＰＯＰ３ユーザ名を含むことを特徴とする請求項１乃至８のいずれかに記載のメールシステム。
【請求項１０】
クライアント装置は、ユニークな識別情報から第一のメールアカウント情報を生成し、生成された前記第一のメールアカウント情報をあらかじめ備える第一の記憶部に設定し、前記第一の記憶部における前記第一のメールアカウント情報を用いてネットワークを介してメールサーバ装置とメール送受信を行い、
メールサーバ装置は、前記ユニークな識別情報から第二のメールアカウント情報を生成し、生成された前記第二のメールアカウント情報をあらかじめ備える第二の記憶部に設定し、前記第二の記憶部における前記第二のメールアカウント情報を用いて前記ネットワークを介して前記クライアント装置とメール送受信を行う、
ことを特徴とするメールアカウント情報の設定方法。
【請求項１１】
前記クライアント装置は、前記ユニークな識別情報を格納する識別情報格納部を前記第一の記憶部に備え、前記識別情報格納部に格納された前記ユニークな識別情報から前記第一のメールアカウント情報を生成することを特徴とする請求項１０に記載のメールアカウント情報の設定方法。
【請求項１２】
前記第一の記憶部は、不揮発性メモリで構成され、生産設備により、前記ユニークな識別情報を前記不揮発性メモリのメモリチップ単体に書き込むことを特徴とする請求項１０乃至１１のいずれかに記載のメールアカウント情報の設定方法。
【請求項１３】
前記第一のメールアカウント情報は、予め定められたアルゴリズムにより前記ユニークな識別情報から生成されることを特徴とする請求項１０乃至１２のいずれかに記載のメールアカウント情報の設定方法。
【請求項１４】
前記第二のメールアカウント情報は、前記アルゴリズムにより前記ユニークな識別情報から生成されることを特徴とする請求項１３に記載のメールアカウント情報の設定方法。
【請求項１５】
前記アルゴリズムは、前記ユニークな識別情報をアナグラム処理し、アナグラム処理された情報をランダムな文字に文字変換し、変換された文字を結合する処理を含むことを特徴とする請求項１３又は１４に記載のメールアカウント情報の設定方法。
【請求項１６】
前記ユニークな識別子は、前記クライアント装置のロット番号であることを特徴とする請求項１０乃至１５のいずれかに記載のメールアカウント情報の設定方法。
【請求項１７】
前記第一のメールアカウント情報は、少なくともメールアドレス、ＳＭＴＰサーバ名、ＳＭＴＰポート番号、ＰＯＰサーバ名、ＰＯＰポート番号、ＰＯＰ３ユーザ名、ＰＯＰ３パスワードを含むことを特徴とする請求項１０乃至１６のいずれかに記載のメールアカウント情報の設定方法。
【請求項１８】
前記第二のメールアカウント情報は、少なくともメールアドレス、ＰＯＰ３パスワード、ＰＯＰ３ユーザ名を含むことを特徴とする請求項１０乃至１７のいずれかに記載のメールアカウント情報の設定方法。
【請求項１９】
記憶部と、ユニークな識別情報からメールアカウント情報を生成し、生成された前記メールアカウント情報を前記記憶部に設定するメールアカウント情報生成設定部と、前記記憶部における前記メールアカウント情報を用いてネットワークを介してメールサーバ装置とメール送受信を行うメールクライアント機能制御部とを含むクライアント装置。
【請求項２０】
前記ユニークな識別情報を格納する識別情報格納部を前記記憶部に備え、前記メールアカウント情報生成設定部は、前記識別情報格納部に格納された前記ユニークな識別情報から前記メールアカウント情報を生成することを特徴とする請求項１９に記載のクライアント装置。
【請求項２１】
ユニークな識別情報からメールアカウント情報を生成し、生成された前記メールアカウント情報をあらかじめ備える記憶部に設定し、前記記憶部における前記メールアカウント情報を用いてネットワークを介してメールサーバ装置とメール送受信を行うことを特徴とするメールアカウント情報の設定方法。
【請求項２２】
前記ユニークな識別情報を格納する識別情報格納部を前記記憶部に備え、前記識別情報格納部に格納された前記ユニークな識別情報から前記メールアカウント情報を生成することを特徴とする請求項２１に記載のメールアカウント情報の設定方法。
【請求項２３】
記憶部と、ユニークな識別情報からメールアカウント情報を生成し、生成された前記メールアカウント情報を前記記憶部に設定するメールアカウント情報生成設定部と前記記憶部における前記メールアカウント情報を用いてネットワークを介してクライアント装置とメール送受信を行うメールサーバ機能制御部を含むメールサーバ装置。
【請求項２４】
前記メールアカウント情報生成設定部は、前記ユニークな識別情報から、予め定められたアルゴリズムに基づいて前記メールアカウント情報を生成するアカウント情報生成部を含む請求項２３に記載のメールサーバ装置。
【請求項２５】
ユニークな識別情報からメールアカウント情報を生成し、生成された前記メールアカウント情報をあらかじめ備える記憶部に設定し、前記記憶部における前記メールアカウント情報を用いてネットワークを介してクライアント装置とメール送受信を行うことを特徴とするメールアカウント情報の設定方法。
【請求項２６】
前記メールアカウント情報は、予め定められたアルゴリズムにより前記ユニークな識別情報から生成されることを特徴とする請求項２５に記載のメールアカウント情報の設定方法。
【請求項２７】
ユニークな識別情報を発生するユニークな識別情報発生部と、前記ユニークな識別情報からメールアカウント情報を生成するメールアカウント情報生成部と、
予め用意された不揮発性メモリに前記メールアカウント情報を書き込むメールアカウント情報設定部と、
を含む生産設備。
【請求項２８】
ユニークな識別情報を発生し、前記ユニークな識別情報からメールアカウント情報を生成し、予め用意された不揮発性メモリに前記メールアカウント情報を書き込むことを特徴とするメールアカウント情報設定方法。
【発明の詳細な説明】
【技術分野】
【０００１】
本発明は、メールシステム、およびメールシステムにおけるメールアカウント情報の設定方法、クライアント装置、クライアント装置におけるメールアカウント情報の設定方法、メールサーバ装置、メールサーバ装置におけるメールアカウント情報の設定方法、生産設備、および生産設備におけるメールアカウント情報設定方法に関する。
【背景技術】
【０００２】
関連するメールシステムの一例が特許文献１に紹介されている。
【０００３】
図１４は、該公報に基づくメールシステムの構成図である。
【０００４】
図１４を参照すると、メールシステムは、クライアント装置１Ｐ、メールサーバ装置２Ｐ、インターネット３Ｐを有する。
【０００５】
なお、クライアント装置とは、メーラ（電子メールを送受信し管理するためのアプリケーションであり、電子メールソフトウエア）を搭載した装置である。
【０００６】
クライアント装置１Ｐは、主制御部１１Ｐと、操作部１２Ｐと、表示部１３Ｐと、第一の記憶部１４Ｐと、ＬＡＮ（Ｌｏｃａｌ  Ａｒｅａ  Ｎｅｔｗｏｒｋ）コントローラ１５Ｐと、ネットワークプロトコル制御部１６Ｐを有する。メールクライアント装置１Ｐは、さらに、メールクライアント機能制御部１７Ｐと、ＲＯＭ（Ｒｅａｄ  Ｏｎｌｙ  Ｍｅｍｏｒｙ）１８Ｐと、ＲＡＭ（Ｒａｎｄｏｍ  Ａｃｃｓｅｓｓ  Ｍｅｍｏｒｙ）１９Ｐとを有する。
【０００７】
また、メールサーバ装置２Ｐは、主制御部２１Ｐと、操作部２２Ｐと、表示部２３Ｐと、第二の記憶部２４Ｐと、ＬＡＮコントローラ２５Ｐと、ネットワークプロトコル制御部２６Ｐを有する。メールサーバ装置２Ｐは、さらに、メールサーバ機能制御部２７Ｐと、ＲＯＭ２８Ｐと、ＲＡＭ２９Ｐと、メール保存部３０Ｐとを有する。
【０００８】
上述した、構成において、主制御部１１Ｐ、２１Ｐは、システム全体を制御する。操作部１２Ｐ、２２Ｐは、システムにデータやコマンドを入力するための装置であり、マウスやキーボードなどである。表示部１３Ｐ、２３Ｐは、出力情報を表示したり、データ入力メニューを表示するためのものであり、液晶ディスプレイなどが使用される。ＲＯＭ１８Ｐ、２８Ｐは、オペレーティングシステムなど、出荷時に設定されなければならないプログラム等を格納する。ＲＡＭ１９Ｐ、２９Ｐは、演算や、データの一時的保存に使用されるワークエリアである。また、ＬＡＮコントローラ１５Ｐ、２５Ｐは、ＬＡＮにおけるルータアクセスを制御する。ネットワークプロトコル制御部１６Ｐ、２６Ｐは、ＴＣＰ（Ｔｒａｎｓｆｅｒ  Ｃｏｎｔｒｏｌ  Ｐｒｏｔｏｃｏｌ）／ＩＰ（Ｉｎｔｅｒｎｅｔ  Ｐｒｏｔｏｃｏｌ）やＵＤＰ（Ｕｓｅｒ  Ｄａｔａｇｒａｍ  Ｐｒｏｔｏｃｏｌ）／ＩＰのパケットを処理する。メール保存部３０Ｐは、クライアント装置１Ｐが相手に送信するメールデータや、クライアント装置１Ｐのメールボックスを保持する。
【０００９】
メールクライアント機能制御部１７Ｐは、ＬＡＮコントローラ１５Ｐ、ネットワークプロトコル制御部１６Ｐを用いて、メールサーバ装置２Ｐとの間にセッションを形成した後、ＳＭＴＰやＰＯＰ３のメール送受信を行う。尚、ＳＭＴＰは、Ｓｉｍｐｌｅ  Ｍａｉｌ  Ｔｒｎｓｆｅｒ  Ｐｒｏｔｏｃｏｌ、ＰＯＰは、Ｐｏｓｔ  Ｏｆｆｉｃｅ  Ｐｒｏｔｏｃｏｌの略称である。メールサーバ機能制御部２７Ｐは、ＬＡＮコントローラ２５Ｐ、ネットワークプロトコル制御部２６Ｐを用いて、クライアント装置１Ｐとの間にセッションを形成した後、ＳＭＴＰやＰＯＰ３のメール送受信を行う。
【００１０】
以下、メールクライアント装置１Ｐのメールクライアント機能制御部１７Ｐが、メールサーバ装置２Ｐのメールサーバ機能制御部２７Ｐとの間で行う、ＳＭＴＰによるメール送信処理や、ＰＯＰ３によりメールのダウンロード処理を説明する。
【００１１】
尚、ＳＭＴＰによるメール送信処理や、ＰＯＰ３によるメールのダウンロード処理の関連技術が、特許文献２に紹介されている。
【００１２】
特許文献２を参照して、ＳＭＴＰによるメール送信処理や、ＰＯＰ３によりメールのダウンロード処理を説明する。
（ＳＭＴＰによるメール送信の流れ）
まず、メールエディタ機能を使用してメール本文が作成されているものとする。
【００１３】
メールクライアント機能制御部１７Ｐは、サーバのＳＭＴＰポート（通常はＴＣＰ２５番）に接続してセッションを確立後、ＨＥＬＯコマンドで、通信開始をメールサーバ機能制御部２７Ｐに通知する。次に、メールクライアント機能制御部１７Ｐは、メールサーバ機能制御部２７ＰにＭＡＩＬコマンドとＲＣＰＴコマンドでそれぞれ送信者と受信者のメールアドレスを送る。メールクライアント機能制御部１７Ｐは、メールサーバ機能制御部２７Ｐからの認証許可メッセージを受けると、ＤＡＴＡコマンドでメールデータの送信を開始する。メールクライアント機能制御部１７Ｐは、メールサーバ機能制御部２７Ｐからのメールデータ受信完了メッセージを受けると、ＱＵＩＴコマンドで通信終了を通知する。
（ＰＯＰ３によるメール受信の流れ）
まず、メールクライアント機能制御部１７Ｐは、サーバのＰＯＰ３ポート（通常はＴＣＰ１１０番）に接続してセッションを確立する。次に、メールクライアント機能制御部１７Ｐは、メールサーバ機能制御部２７Ｐに、ＵＳＥＲコマンドとＰＡＳＳコマンドでメールボックスのアカウントＩＤとパスワードを送る。メールクライアント機能制御部１７Ｐは、メールサーバ機能制御部２７Ｐからの認証許可メッセージを受け取ると、着信メール数が１以上の場合は、ＲＥＴＲコマンドを繰り返して全てのメールをダウンロードする。メールクライアント機能制御部１７Ｐは、ダウンロードが終了すると、メールサーバ機能制御部２７ＰにＱＵＩＴコマンドで通信終了を通知する。
【００１４】
以上のようなメール送受信動作において、クライアント装置（メーラを有する端末）および、メールサーバ装置は、ＳＭＴＰおよびＰＯＰ３の実行時に必要なメールアカウント情報を予め自身の所定のエリアに設定しておく必要がある。
【００１５】
ここで、所定のエリアとは、クライアント装置の場合は、第一の記憶部１４Ｐであり、メールサーバ装置の場合は、第二の記憶部２４Ｐである。
【００１６】
メールアカウント情報は、クライアント装置であれば、電子メールアドレス、ＰＯＰ３ユーザ名（アカウントＩＤ）、ＰＯＰ３パスワード、ＳＭＴＰサーバ名、ＳＭＴＰ待ち受けポート番号、ＰＯＰ３サーバ名、ＰＯＰ３待ち受けポート番号等がある。
【００１７】
電子メールアドレスは、自身の装置の電子メールアドレスであり、ＳＭＴＰ通信に必要である。電子メールアドレスは、ユーザ名とドメイン名から構成され、ユーザ名はユーザが任意に決定することができる。ＰＯＰ３ユーザ名、ＰＯＰ３パスワードは、クライアント装置が、ＰＯＰ３によってメールボックスを読み出すときの、認証情報として必要であり、それぞれユーザが任意に決定し、メールサーバ装置に登録する必要がある。ＳＭＴＰサーバ名は、ＳＭＴＰサーバのドメイン名であり、また、ＰＯＰ３サーバ名は、ＰＯＰ３サーバのドメイン名である。ＳＭＴＰ待ち受けポート番号、ＰＯＰ３待ち受けポート番号はそれぞれ、クライアント装置が、メールサーバ装置とＳＭＴＰおよびＰＯＰ３によるセッションを確立する時のポート番号であり、固定値である。ＳＭＴＰサーバ名、ＰＯＰ３サーバ名、ＳＭＴＰ待ち受けポート番号、ＰＯＰ３待ち受けポート番号はそれぞれ、メールサーバ装置にアクセスする際に必要であり、サーバの運用者から通知される。
【００１８】
一方、メールサーバ装置は、メールアカウント情報としてユーザのユーザ名（アカウントＩＤ）、電子メールアドレス、ＰＯＰ３パスワードなどがあり、ユーザ管理情報として管理する。
【００１９】
電子メールアドレスは、ＳＭＴＰ通信に必要であり、ＰＯＰ３ユーザ名、ＰＯＰ３パスワードは、端末装置が、ＰＯＰ３によってメールボックスを読み出すときの、認証情報として必要である。
【００２０】
以上説明したメールアカウント情報は、ユーザのメールサービスを利用開始する前に、クライアント装置であれば、ユーザにより手動等により第一の記憶部１４Ｐの第一のメールアカウント情報格納部１４Ｐ−１に設定しておかねばならない。また、メールサーバ装置であれば、サービス提供者により手動等により第二の記憶部２４Ｐの第二のメールアカウント情報格納部２４Ｐ−１に設定しておかねばならない。
【００２１】
図１５は、ユーザがメールサービスを利用する場合の、メールアカウント情報の設定手順を示すフロー図である。
【００２２】
まず、メールサービスを利用したい者がメールサービスの提供者に利用申請を行う（ＳＵ１）。これを受けたメールサービスの提供者がユーザ登録を行った上（ＳＳ１）、該当ユーザに関するメールアカウント情報をメールサービス利用者に通知する（ＳＳ２）。通知を受けたメールサービス利用者は、該当ユーザに関するメールアカウント情報を、クライアント装置に手動で設定する（ＳＵ２）。これによりメールサービスの利用者は、メールサービスが利用できる状態になる。
【００２３】
ここで、利用申請は、メールサービスのユーザが、所定の用紙に記載し、メールサービスの提供者に郵送等により送付するか、あるいは、ＷＥＢ経由などにより行う。
【００２４】
また、メールサービスの提供者によるユーザ登録は、メールサーバ装置のメールアカウント情報が、サービス提供者によって手動等で第二のメールアカウント情報格納部Ｐ２４−１に設定されることを意味する。
【００２５】
一方、メールサービスの利用者によるクライアント装置へのユーザに関する情報の登録は、クライアント装置のメールアカウント情報が、ユーザによって手動等で第一のメールアカウント情報格納部１４Ｐ−１に設定されることを意味する。
【００２６】
【特許文献１】特開平１１−３４１０４３号公開公報
【特許文献２】特開２０００−９２１１５号公開公報
【発明の開示】
【発明が解決しようとする課題】
【００２７】
しかしながら、上述した関連するメールシステムにおけるメールアカウント情報の設定方法は、効率が悪いという問題があった。
【００２８】
なぜなら、メールサービスの利用者がメールサービスの提供者に利用申請を行い、これを受けたメールサービスの提供者からメールアカウント情報の通知を受け、通知を受けたメールアカウント情報の設定を手動で行わなければならないからである。
【００２９】
さらに、メールアカウント情報のメールクライアント装置に対する設定は、メールサービス利用者が自身でこれを行えないほど、一般的に難解かつ煩雑であるからである。
【００３０】
本発明の目的は、上述した「メールシステムにおけるメールアカウント情報の設定方法は、効率が悪い」という課題を解決するメールシステム、クライアント装置、メールサーバ装置、および生産設備と、メールアカウント情報の設定方法を提供することにある。
【課題を解決するための手段】
【００３１】
本発明のメールシステムは、第一の記憶部と、ユニークな識別情報から第一のメールアカウント情報を生成し、生成された前記第一のメールアカウント情報を前記第一の記憶部に設定する第一のメールアカウント情報生成設定部と、前記第一の記憶部における前記第一のメールアカウント情報を用いてメールサーバ装置とネットワークを介してメール送受信を行うメールクライアント機能制御部とを含むクライアント装置と、
第二の記憶部と、前記ユニークな識別情報から第二のメールアカウント情報を生成し、生成された前記第二のメールアカウント情報を前記第二の記憶部に設定する第二のメールアカウント情報生成設定部と、前記第二の記憶部における前記第二のメールアカウント情報を用いて前記クライアント装置と前記ネットワークを介してメール送受信を行うメールサーバ機能制御部を含むメールサーバ装置と、
を含んで構成される。
【００３２】
本発明のメールアカウント情報の設定方法は、クライアント装置は、ユニークな識別情報から第一のメールアカウント情報を生成し、生成された前記第一のメールアカウント情報をあらかじめ備える第一の記憶部に設定し、前記第一の記憶部における前記第一のメールアカウント情報を用いてネットワークを介してメールサーバ装置とメール送受信を行い、
メールサーバ装置は、前記ユニークな識別情報から第二のメールアカウント情報を生成し、生成された前記第二のメールアカウント情報をあらかじめ備える第二の記憶部に設定し、前記第二の記憶部における前記第二のメールアカウント情報を用いて前記ネットワークを介して前記クライアント装置とメール送受信を行うことを特徴とする。
【００３３】
本発明のクライアント装置は、記憶部と、ユニークな識別情報からメールアカウント情報を生成し、生成された前記メールアカウント情報を前記記憶部に設定するメールアカウント情報生成設定部と、前記記憶部における前記メールアカウント情報を用いてネットワークを介してメールサーバ装置とメール送受信を行うメールクライアント機能制御部とを含んで構成される。
【００３４】
本発明のメールアカウント情報の設定方法は、ユニークな識別情報からメールアカウント情報を生成し、生成された前記メールアカウント情報をあらかじめ備える記憶部に設定し、前記記憶部における前記メールアカウント情報を用いてネットワークを介してメールサーバ装置とメール送受信を行うことを特徴とする。
【００３５】
本発明のメールサーバ装置は、記憶部と、ユニークな識別情報からメールアカウント情報を生成し、生成された前記メールアカウント情報を前記記憶部に設定するメールアカウント情報生成設定部と前記記憶部における前記メールアカウント情報を用いてネットワークを介してクライアント装置とメール送受信を行うメールサーバ機能制御部を含んで構成される。
【００３６】
本発明のメールアカウント情報の設定方法は、ユニークな識別情報からメールアカウント情報を生成し、生成された前記メールアカウント情報をあらかじめ備える記憶部に設定し、前記記憶部における前記メールアカウント情報を用いてネットワークを介してクライアント装置とメール送受信を行うことを特徴とする。
【００３７】
本発明の生産設備は、ユニークな識別情報を発生するユニークな識別情報発生部と、前記ユニークな識別情報からメールアカウント情報を生成するメールアカウント情報生成部と、
予め用意された不揮発性メモリに前記メールアカウント情報を書き込むメールアカウント情報設定部と、
を含んで構成される。
【００３８】
本発明のメールアカウント情報の設定方法は、ユニークな識別情報を発生し、前記ユニークな識別情報からメールアカウント情報を生成し、予め用意された不揮発性メモリに前記メールアカウント情報を書き込むことを特徴とする。
【発明の効果】
【００３９】
以上説明したように、本発明は、メールシステムにおけるメールアカウント情報の設定効率が向上するという効果がある。
【００４０】
なぜなら、クライアント装置およびメールサーバ装置が、ともに、同一のユニークな識別情報から同一のメールアカウント情報を生成し、各々の装置に自動で設定するようにしたからである。
【発明を実施するための最良の形態】
【００４１】
次に、本発明の実施の形態について図面を参照して詳細に説明する。
【００４２】
（第一の実施形態）
図１は、本発明の第一の実施形態におけるメールシステムの構成を示すブロック図である。
【００４３】
図１を参照すると、本実施の形態のメールシステムは、クライアント装置１、メールサーバ装置２、インターネット３から構成される。
【００４４】
なお、クライアント装置とは、メールクライアント（電子メールソフトウェア）を搭載した装置を意味する。クライアント装置は、ＰＣ（Ｐｅｒｓｏｎａｌ  Ｃｏｍｐｕｔｅｒ）や、携帯電話機などの携帯端末など、メーラを有する情報処理装置全てを含む。
【００４５】
本実施の形態のクライアント装置１は、第一のメールアカウント情報生成設定部１０と、第一の記憶部１１と、メールクライアント機能制御部１２を有する。
【００４６】
クライアント装置１は、図１４のクライアント装置１Ｐと同様、主制御部、操作部、表示部、ＬＡＮコントローラ、ネットワークプロトコル制御部、ＲＯＭ、ＲＡＭ等を含むが、本発明と直接関係しないため、図面と説明を省略する。
【００４７】
第一の記憶部１１は、不揮発性メモリで構成され、第一のメールアカウント情報を記憶する第一のメールアカウント情報格納部１１−１を含む。この第一の記憶部１１は、電子メールソフトウェアによるメール実行時にも、図示しない主制御部により読み出されるものである。
【００４８】
尚、第一のメールアカウント情報には、電子メールアドレス、ＰＯＰ３ユーザ名、ＰＯＰ３パスワード、ＳＭＴＰサーバ名、ＳＭＴＰ待ち受けポート番号、ＰＯＰ３サーバ名、ＰＯＰ３待ち受けポート番号等がある。詳細は、「背景技術」を参照されたい。
【００４９】
第一のメールアカウント情報生成設定部１０は、メールアカウント情報生成部１０−１とメールアカウント情報書き込み部１０−２とを有する。
【００５０】
メールアカウント情報生成部１０−１は、ユニークな識別情報から所定のアルゴリズムにより上述した第一のメールアカウント情報を生成する。
【００５１】
尚、ユニークな識別情報については、詳細を後述する。
【００５２】
メールアカウント情報書き込み部１０−２は、生成された第一のメールアカウント情報を第一のメールアカウント情報格納部１１−１に書き込む。
【００５３】
尚、第一のメールアカウント情報生成設定部１０は、システム初期設定時に、図示しない主制御部から起動されるようにしても良い。
【００５４】
メールクライアント機能制御部１２は、第一のメールアカウント情報格納部１１−１の第一のメールアカウント情報を用いて、メールサーバ装置２と、ＳＭＴＰによるメール送信、ＰＯＰ３によるメールボックスの読み出しを行う。
【００５５】
ユニークな識別情報は、予め生産過程で不揮発性メモリの第一の記憶部１１に書き込んでおき、メールアカウント情報生成部１０−１はこれを読み出すようにしても良い。あるいは、ユニークな識別情報は、装置組み立て後に、予め用意されたコマンド入力により入力し、メールアカウント情報生成部１０−１はこれを取得するようにしても良い。
【００５６】
また、アルゴリズムは、それにより生成される第一のメールアカウント情報がユニークであり、ハッキングを防止できるなどのセキュリティに優れていれば、どんな方法であっても良い。
【００５７】
アルゴリズムは、クライアント装置を供給するベンダ（メーカ）が、利用者の便宜とともに製品の差別化を図るための仕掛けであるから、企業秘密の対象となる。具体例は、後述する。
【００５８】
次に、メールサーバ装置２は、第二のメールアカウント情報生成設定部２０と、第二の記憶部２１と、メールサーバ機能制御部２２とを有する。メールサーバ装置２も、図１４のメールサーバ装置２Ｐと同様、主制御部、操作部、表示部、ＬＡＮコントローラ、ネットワークプロトコル制御部、ＲＯＭ、ＲＡＭ、メール保存部等含むが、本発明と直接関係しないため、図面と説明を省略する。
【００５９】
第二の記憶部２１は、不揮発性メモリで構成され、第二のメールアカウント情報を記憶する第二のメールアカウント情報格納部２１−１を有する。この第二の記憶部２１は、電子メールソフトウェアによるメール実行時にも、図示しない主制御部により読み出されるものである。
【００６０】
尚、第二のメールアカウント情報には、ユーザ名（アカウントＩＤ）、電子メールアドレス、ＰＯＰ３パスワード等があり、第一のメールアカウント情報における値と同一である。詳細は、「背景技術」を参照されたい。第二のメールアカウント情報は、メールサーバ装置におけるユーザ管理情報であり、メール送受信時のユーザ認証や、図示しないメールボックスの管理に用いられる。
【００６１】
第二のメールアカウント情報生成設定部２０は、メールアカウント情報生成部２０−１とメールアカウント情報書き込み部２０−２とを有する。
【００６２】
メールアカウント情報生成部２０−１は、上述したユニークな識別情報から所定のアルゴリズムにより上述した第二のメールアカウント情報を生成する。
【００６３】
メールアカウント情報書き込み部２０−２は、生成された第二のメールアカウント情報を第二のメールアカウント情報格納部２１−１に書き込む。
【００６４】
メールサーバ機能制御部２２は、第二のメールアカウント情報格納部２１−１の第二のメールアカウント情報を用いて、クライアント装置１と、ＳＭＴＰによるメール送信、ＰＯＰ３によるメールボックスの送信を行う。
【００６５】
ユニークな識別情報は、クライアント装置１の運用者からメールサーバ装置２の運用者に何らかの方法で通知される。通知方法は、電話、ＦＡＸ、メールなど何であっても良い。
【００６６】
ユニークな識別情報は、メールサーバ装置２に予めコマンドを用意しておき、このコマンドにより手入力で入力する方法であっても良いし、何らかの媒体経由で入力しても良い。
【００６７】
アルゴリズムは、メール情報生成部１０−１が使用するアルゴリズムと同じである。アルゴリズムは、メール情報生成部１０−１が使用するアルゴリズムと違っていても良い。しかし、この場合、生成される第二のメールアカウント情報の値が、第一のメールアカウント情報の対応する項目の値と同一になる方法でなければならない。
【００６８】
ユニークな識別情報は、文字通り唯一無二な値である。しかし、ユニークな識別情報は、全世界で唯一無二な値である必要はない。ユニークな識別情報は、メールサーバ装置２と同じ（あるいは同じ効果を有する）アルゴリズムを使用するクライアント装置の製品の種類の範囲内で唯一無二な値であればよい。例えば、同じアルゴリズムを使用するクライアント装置が、ＰＣとファクシミリ装置であれば、ユニークな識別情報は、ＰＣとファクシミリ装置の範囲で、唯一無二な値であればよい。あるいは、クライアント装置に、アルゴリズムの使用を許可された他のベンダの製品があるならば、ユニークな識別情報は、その製品も含めた範囲で、唯一無二な値であればよい。
【００６９】
逆に、メールサーバ装置２と同じアルゴリズムを使用するクライアント装置１が、１ベンダの１品種であるならば、ユニークな識別情報として、ロット番号（シリアル番号）を使用しても良い。なぜなら、クライアント装置１が、１ベンダの１品種であるため、ロット番号（シリアル番号）を使用しても、ユニークな識別情報として重複することがないからである。
【００７０】
図２は、本実施の形態によるクライアント装置１とメールサーバ装置２の接続例を図示した図である。
【００７１】
クライアント装置１とメールサーバ装置２はインターネット３を介して接続されていて、メールサーバ装置２はＳＭＴＰサーバとＰＯＰ３サーバを有している。ＳＭＴＰサーバのドメイン名として「ｓｍｔｐ．ｍａｉｌ．ａｂｃｄｅ．ｆｇ」、ＳＭＴＰサーバの待ち受けポートとして「２５」が割り当てられている。同様にＰＯＰ３サーバのドメイン名として「ｐｏｐ．ｍａｉｌ．ａｂｃｄｅ．ｆｇ」、ＰＯＰ３サーバの待ち受けポートとして「１１０」が割り当てられている。
【００７２】
次に図３は、本実施の形態におけるクライアント装置１およびメールサーバ装置２の動作の流れを示すフロー図である。
【００７３】
尚、前提として、ユニークな識別情報は、予め決定され、サーバ側の運用者に何らかの方法で通知されているものとする。通知方法は、電話、メール、或いは、郵送など、いかなる方法であっても良い。
〈クライアント装置の動作フロー〉
ＳＴ１（ステップＴ１）；図１のメールアカウント情報生成部１０−１は、ユニークな識別情報から後述する所定のアルゴリズムにより上述した第一のメールアカウント情報を生成する。
【００７４】
ＳＴ２（ステップＴ２）；メールアカウント情報書き込み部１０−２は、生成された第一のメールアカウント情報を第一のメールアカウント情報格納部１１−１に書き込む。
【００７５】
ＳＴ３（ステップＴ３）；メールクライアント機能制御部１２は、第一のメールアカウント情報格納部１１−１の第一のメールアカウント情報を用いて、インターネット３を介してメールサーバ装置２とメールの送受信を行う。
〈メールサーバ装置２の動作フロー〉
ＳＭ１（ステップＭ１）；図１のメールアカウント情報生成部２０−１は、入力されたユニークな識別情報から上述のアルゴリズムにより上述した第二のメールアカウント情報を生成する。
【００７６】
ＳＭ２（ステップＭ２）；メールアカウント情報書き込み部２０−２は、生成された第二のメールアカウント情報を第二のメールアカウント情報格納部２１−１に書き込む。
【００７７】
ＳＭ３（ステップＭ３）；メールサーバ機能制御部２２は、第二のメールアカウント情報格納部２１−１の第二のメールアカウント情報を用いて、インターネット３を介してクライアント装置１とメールの送受信を行う。
【００７８】
尚、上述したＳＭ１〜ＳＭ３の処理は、クライアント装置１の出荷前に行うことが望ましい。なぜなら、この場合、クライアント装置１の購入者は、すぐに、メールの送受信が行えるからである。
【００７９】
次に、図４は、メールクライアント装置１内のメールアカウント情報生成部１０−１が、ユニークな識別情報から第一のメールアカウント情報を生成するアルゴリズムの一例を示す動作フロー図である。なお、メールサーバ装置２が第二のメールアカウント情報を生成する場合のアルゴリズムは、このアルゴリズムと同じである。このアルゴリズムは、異なっていても良いが、第二のメールアカウント情報における各項目の値が、第一のメールアカウント情報の同じ項目の値と同一になるアルゴリズムでなければならない。
【００８０】
ＳＲ１（ステップＲ１）；メールアカウント情報生成部１０−１は、ユニークな識別子を、ある所定の方法で各桁ごとにアナグラム（文字の順序を入れ換えるつづり換え）処理する。
【００８１】
ＳＲ２（ステップＲ２）；メールアカウント情報生成部１０−１は、アナグラムされた各桁を各桁ごとに用意された文字列変換テーブルで変換をかけ、無作為かつユニークな文字列を生成する。
【００８２】
ＳＲ３（ステップＲ３）；メールアカウント情報生成部１０−１は、生成された文字列を結合する。
【００８３】
ＳＲ４（ステップＲ４）；メールアカウント情報生成部１０−１は、結合された文字列を、ＰＯＰ３ユーザ名、ＰＯＰ３パスワードとし、ドメイン名をつけてメールアドレスを生成する。
【００８４】
なお、ＰＯＰ３パスワードは、同じユニークな識別子から、ＰＯＰ３ユーザ名として書き込んだ文字列とは別のアナグラム方式かつ別のテーブル群から生成するのが望ましい。
【００８５】
また、メールアドレスは、ＰＯＰ３ユーザ名と一意的に決定されるドメイン名（メールアドレスの＠以降）で構成する。
【００８６】
図５は、０ｘ００〜０ｘ０ｆまでの数値を無作為な文字列に変換する文字列変換テーブル例を示したものである。この図では、０ｘ００という値が”Ａｂｇ”という文字列に、０ｘ０ｃという値が”ＢＪｈ”という文字列に変換される様を示している。
【００８７】
図６は、ユニークな識別子を無作為な文字列に変換する具体例を示す図である。
【００８８】
この例では、ユニークな識別子が“０００１０２ＡＢＣＤＥＦ”であることを示している。ユニークな識別子は、ある所定の方法で各桁ごとにアナグラムされる。これを図５で例示されるような方式の各桁ごとの別個のテーブルで変換をかけ（この例におけるユニークな識別子は各桁が０ｘ００〜０ｘ０ｆまでの値を取ることとする）、無作為かつユニークな文字列を生成する。生成された文字列を結合する。
【００８９】
図７は、メールアカウント情報書き込み部１０−２が、クライアント装置１内の第一のメールアカウント情報格納部１１−１に書き込んだ第一のメールアカウント情報を図示したものである。
【００９０】
まず、図６で示される方式で作成された文字列をＰＯＰ３ユーザ名として書き込む。同様に図６で示される方式で作成された文字列をＰＯＰ３パスワードとして書き込む。（このときＰＯＰ３ユーザ名として書き込んだ文字列とは、別のアナグラム方式かつ別のテーブル群でＰＯＰ３パスワードを生成する。）
ＳＭＴＰサーバ名、ＳＭＴＰ待ち受けポート番号、ＰＯＰ３サーバ名、ＰＯＰ３待ち受けポート番号は、図２で示されるように既に一意的に決定されている。メールアカウント情報書き込み部１０−２は、これを第一のメールアカウント情報格納部１１−１の各該当部位に書き込む。メールアドレスは、先に生成したメールユーザＩＤ（ＰＯＰ３ユーザ名）と一意的に決定されるドメイン名（メールアドレスの＠以降）で構成される。メールアカウント情報書き込み部１０−２は、構成されたメールアドレスを、同様に該当部位に書き込む。
【００９１】
以上、クライアント装置１内のメールアカウント情報生成部１０−１について説明したが、メールサーバ装置２内のメールアカウント情報生成部２０−１についても同様の機能及び動作を有する。すなわち、メールアカウント情報生成部２０−１は、同一のユニークな識別子により、第一のメールアカウント情報と同一のユーザ名（アカウントＩＤ）、電子メールアドレス、ＰＯＰ３パスワードを含む第二のメールアカウント情報を発生する。
【００９２】
以上説明したように、本実施の形態は、メールシステムにおけるメールアカウント情報の設定効率が向上する効果がある。
【００９３】
なぜなら、クライアント装置およびメールサーバ装置が、ともに、同一のユニークな識別情報から同一のメールアカウント情報を生成し、各々の装置に自動で設定するようにしたからである。
【００９４】
さらに、クライアント装置側およびメールサーバ装置側での運用者の情報管理が容易になる効果がある。
【００９５】
なぜなら、クライアント装置側およびメールサーバ装置側ともに、ユニークな識別情報のみを管理すればよいからである。
【００９６】
さらに、本実施の形態は、メールシステムのセキュリティが向上する効果がある。
【００９７】
なぜなら、メールアドレス、メールユーザＩＤ、メールパスワードは、アナグラムおよびテーブル変換で元のユニーク識別子が類推不可な形まで隠蔽されているからである。
【００９８】
さらに、本実施の形態は、保守コストを低減できる効果がある。
【００９９】
なぜなら、メールサービス提供者やメールクライアント装置の出荷元は、メールサービス利用者からの、難解なメールアカウント情報の設定に関する問い合わせに対応したり、出張対応を行ったりする必要がなくなるからである。
【０１００】
（第二の実施形態）
次に、図８は、本発明の第二の実施形態におけるメールシステムのクライアント装置を示す構成のブロック図である。本実施形態のクライアント装置は、図１のメールシステムにおいて、クライアント装置１の第一の記憶部１１にユニークな識別情報格納部１１Ａ−２を設けた場合に相当する。図１と同じ機能ブロックには、同じ符号を付けている。
【０１０１】
クライアント装置１Ａは、第一のメールアカウント情報生成設定部１０Ａと、第一の記憶部１１Ａと、メールクライアント機能制御部１２を有する。
【０１０２】
クライアント装置１Ａは、図１４のクライアント装置１Ｐと同様、主制御部、操作部、表示部、ＬＡＮコントローラ、ネットワークプロトコル制御部、ＲＯＭ、ＲＡＭ等を含むが、本発明と直接関係しないため、図面と説明を省略する。
【０１０３】
第一の記憶部１１Ａは、不揮発性メモリで構成される。そして、第一の記憶部１１Ａは、第一のメールアカウント情報を記憶する第一のメールアカウント情報格納部１１−１と、ユニークな識別情報を格納するユニークな識別情報格納部１１Ａ−２を含む。
【０１０４】
第一のメールアカウント情報格納部１１−１は、図１のそれと同じであり、メールアカウント情報書き込み部１０−２のよって書き込まれる第一のメールアカウント情報を格納する。
【０１０５】
ユニークな識別情報格納部１１Ａ−２は、予め書き込まれたユニークな識別情報が格納されている。図８では、ユニークな識別情報は、生産設備１Ｊによって書き込まれる場合を示している。
【０１０６】
尚、第一のメールアカウント情報には、電子メールアドレス、ＰＯＰ３ユーザ名、ＰＯＰ３パスワード、ＳＭＴＰサーバ名、ＳＭＴＰ待ち受けポート番号、ＰＯＰ３サーバ名、ＰＯＰ３待ち受けポート番号等がある。詳細は、「背景技術」を参照されたい。
【０１０７】
第一のメールアカウント情報生成設定部１０Ａは、メールアカウント情報生成部１０Ａ−１とメールアカウント情報書き込み部１０−２とを有する。
【０１０８】
メールアカウント情報生成部１０Ａ−１は、ユニークな識別情報格納部１１Ａ−２のユニークな識別情報から所定のアルゴリズムにより上述した第一のメールアカウント情報を生成する。メールアカウント情報を生成するアルゴリズムは、図１のメールアカウント情報生成部１０−１と同じである。
【０１０９】
メールアカウント情報書き込み部１０−２は、図１のそれと同じであり、生成された第一のメールアカウント情報を第一のメールアカウント情報格納部１１−１に書き込む。
【０１１０】
尚、第一のメールアカウント情報生成設定部１０Ａは、システム初期設定時に、図示しない主制御部から起動されるようにしても良い。
【０１１１】
メールクライアント機能制御部１２は、図１のメールクライアント機能制御部１２と同じである。メールクライアント機能制御部１２は、第一のメールアカウント情報格納部１１−１の第一のメールアカウント情報を用いて、メールサーバ装置２と、インターネット３を介してＳＭＴＰによるメール送信、ＰＯＰ３によるメールボックスの読み出しを行う。
【０１１２】
メールサーバ装置２は、図１のメールサーバ装置２と同一であるため、説明を省略する。
【０１１３】
次に図９は、クライアント装置１Ａの動作の流れを示すフロー図である。
【０１１４】
メールサーバ装置２の動作フローは、図３と同じであるので、図３を参照されたい。
〈クライアント装置の動作フロー〉
ＳＴＡ１（ステップＴＡ１）；図１のメールアカウント情報生成部１０Ａ−１は、ユニークな識別情報格納部１１Ａ−２のユニークな識別情報から所定のアルゴリズムにより第一のメールアカウント情報を生成する。
【０１１５】
ＳＴ２（ステップＴ２）；図３と同じであり、メールアカウント情報書き込み部１０−２は、生成された第一のメールアカウント情報を第一のメールアカウント情報格納部１１−１に書き込む。
【０１１６】
ＳＴ３（ステップＴ３）；図３と同じであり、メールクライアント機能制御部１２は、第一のメールアカウント情報格納部１１−１の第一のメールアカウント情報を用いて、メールサーバ装置２とメールの送受信を行う。
【０１１７】
図１０は、生産設備（不揮発性メモリ書き込み器）１Ｊの一実施の形態を示すブロック図である。
【０１１８】
生産設備１Ｊは、ユニークな識別情報発生部１１Ｊとユニークな識別情報書き込み部１２Ｊとから構成される。
【０１１９】
ユニークな識別情報発生部１１Ｊは、メールクライアント装置１に割り当てるユニークな識別情報を決定する。ユニークな識別情報とは、他のクライアント装置とは重複しない識別子（例えばロット番号等）であることとする。ユニークな識別情報については、第一の実施形態で詳細に説明しているので、そちらを参照されたい。
【０１２０】
ユニークな識別情報書き込み部１２Ｊは、決定されたユニークな識別情報１３Ｊ−１を不揮発性メモリチップ１３Ｊの所定のエリアに書き込む。
【０１２１】
不揮発性メモリチップ１３Ｊは、メールクライアント装置１Ａに搭載されると、図８のユニークな識別情報格納部１１Ａ−２として使用されるメモリチップである。
【０１２２】
尚、ユニークな識別情報格納部１１Ａ−２は、第一のメールアカウント情報格納部１１−１と同じチップであっても良いし、異なっていても良い。
【０１２３】
また、生産設備１Ｊは、ユニークな識別情報を同時に複数発生させ、複数のチップに、各々異なるユニークな識別情報を書き込むようにしても良い。
【０１２４】
図１１は、生産設備１Ｊの動作フロー図である。
【０１２５】
ＳＪ１（ステップＪ１）；ユニークな識別情報発生部１１Ｊにより、メールクライアント装置１Ａに割り当てるユニークな識別情報を決定する。
【０１２６】
ＳＪ２（ステップＪ２）；決定されたユニークな識別情報を不揮発性メモリチップ１３Ｊの所定のエリアに書き込む。
【０１２７】
本実施の形態では、ユニークな識別情報格納部１１Ａ−２を設けたことにより、さらに、メールシステムにおけるメールアカウント情報の設定効率が向上する効果がある。
【０１２８】
なぜなら、メールアカウント情報生成部１０Ａ−１は、ユニークな識別情報格納部１１Ａ−２からユニークな識別情報を読み出すため、生産設備１Ｊにより、不揮発性メモリチップにユニークな識別情報を予め書き込んでおくことができるからである。生産設備１Ｊが、複数の不揮発性メモリチップにユニークな識別情報を同時に書き込むようにすれば、より効果的である。即ち、不揮発性メモリチップをクライアント装置に搭載するだけで、ユニークな識別情報格納部１１Ａ−２が形成されるため、運用者がクライアント装置１台毎に操作部からユニークな識別情報を手動で入力設定する必要がないからである。
【０１２９】
（第三の実施形態）
図１２は、本発明の第三の実施形態における生産設備の一実施の形態を示すブロック図である。
【０１３０】
生産設備１Ｑは、ユニークな識別情報発生部１１Ｑ、メールアカウント情報生成部１２Ｑ、メールアカウント情報設定部１３Ｑを含む。
【０１３１】
ユニークな識別情報発生部１１Ｑは、ユニークな識別情報を発生する。ユニークな識別情報については、第一の実施形態で詳細に説明しているので、そちらを参照されたい。メールアカウント情報生成部１２Ｑは、ユニークな識別情報から予め定められたアルゴリズムにより、メールアカウント情報を生成する。メールアカウント情報生成部１２Ｑは、生成されたメールアカウント情報を出力部１４Ｑに出力する。出力部１４Ｑは、メールアカウント情報をメールサーバの運用者がユーザ登録に使用できる形態で出力できるものであれば何でも良い。例えば、プリントアウトでも良いし、メモリ媒体であっても良い。メールアカウント情報は、生産設備１Ｑの運用者からメールサーバ装置の運用者に何らかの方法で通知される。通知方法は、電話、ＦＡＸ、メールなど何であっても良い。
【０１３２】
アルゴリズムは、第一の実施形態の図１のメール情報生成部１０−１が使用するアルゴリズムと同じであって良い。
【０１３３】
メールアカウント情報設定部１３Ｑは、予め用意された不揮発性メモリチップ２Ｑにメールアカウント情報２１Ｑを書き込む。
【０１３４】
図１３は、生産設備１Ｑの動作フロー図である。
【０１３５】
ＳＱ１（ステップＱ１）；ユニークな識別情報発生部１１Ｑにより、ユニークな識別情報を発生する。
【０１３６】
ＳＱ２（ステップＱ２）；メールアカウント情報生成部１２Ｑにより、ユニークな識別情報からメールアカウント情報を生成し、出力部１４Ｑに出力する。
【０１３７】
尚、出力部１４Ｑに出力されたメールアカウント情報は、生産設備１Ｑの運用者からメールサーバ装置２の運用者に何らかの方法で通知される。通知方法は、電話、ＦＡＸ、メールなど何であっても良い。
【０１３８】
ＳＱ３（ステップＱ３）；メールアカウント情報設定部１３Ｑにより、生成されたメールアカウント情報２１Ｑを不揮発性メモリチップ２Ｑに書き込む。
【０１３９】
不揮発性メモリチップ２Ｑは、図１４のクライアント装置１Ｐの第一の記憶部１４Ｐに搭載されると、第一のメールアカウント情報が書き込まれた第一のメールアカウント情報格納部１４Ｐ−１として機能する。従って、クライアント装置１Ｐは不揮発性メモリチップ２Ｑを第一の記憶部１４Ｐに搭載するだけで良い。
【０１４０】
また、図１４に示すメールサーバ装置２Ｐの運用者は、生産設備１Ｑの生成するメールアカウント情報を生産設備１Ｑの運用者から通知されると、手入力または、メモリ媒体を通して第二のメールアカウント情報格納部２４Ｐ−１に入力するだけで良い。
【０１４１】
即ち、クライアント装置およびメールサーバ装置は、各々、図１４に示す関連するクライアント装置１Ｐとメールサーバ装置２Ｐがそのまま使用できる。
【０１４２】
以上説明したように、本実施の形態は、第一の実施形態の効果に加え、クライアント装置とメールサーバ装置における、メールアカウント情報の設定コストを低減できる効果がある。
【０１４３】
なぜなら、本実施の形態では、クライアント装置、メールサーバ装置ともに、「背景技術」で説明した、図１４に示す装置のままでよいからである。
【０１４４】
その他の実施形態として、第三の実施形態の生産設備１Ｑは、メールアカウント情報の代わりに、ユニークな識別情報発生部１１Ｑが発生したユニークな識別情報を出力するようにしても良い。この場合、生産設備１Ｑ側は、メールサーバ装置の運用者にユニークな識別情報を通知し、メールサーバ装置として、第一の実施形態及び第二の実施形態で説明したメールサーバ装置２を使用すればよい。
【０１４５】
本実施形態により、第一の実施形態の効果に加え、クライアント装置における、メールアカウント情報の設定コストを低減できる効果がある。
【０１４６】
なぜなら、本実施の形態では、クライアント装置は、「背景技術」で説明した、図１４に示すクライアント装置１Ｐのままでよいからである。
【０１４７】
上述した第一の実施の形態においては、メール送受信のプロトコルとして、ＳＭＴＰとＰＯＰ３を用いて説明したが、これはメール送受信のプロトコルであればなんでも構わない。例えば、メール送信プロトコルとしてはＳＭＴＰ−ＡＵＴＨ（Ａｕｔｈｅｎｔｉｃａｔｉｏｎ）の採用の代替が考えられる。あるいは、ＰＯＰ３であればＡＰＯＰ（Ａｕｔｈｅｎｔｉｃａｔｅｄ  Ｐｏｓｔ  Ｏｆｆｉｃｅ  Ｐｒｏｔｏｃｏｌ）との代替が考えられる。特にこれらを実施すれば、ネットワーク上を流れるパケット上の個人情報が隠蔽されるためセキュリティが高まることはいうまでもない。またＰＯＰ３の代替としてＩＭＡＰ（Ｉｎｔｅｒｎｅｔ  Ｍｅｓｓａｇｅ  Ａｃｃｓｅｓｓ  Ｐｒｏｔｏｃｏｌ）の採用も考えられることを補足しておく。
【０１４８】
メールアカウント情報の生成例として、アナグラムおよびテーブル変換を用いる方法を説明したが、アルゴリズムはこれに限らない。ユニークな情報を生成するアルゴリズムであればなんでも良い。
【０１４９】
また、メールアカウント情報の生成アルゴリズムは装置固定であるかのように説明したが、例えば生産１０００台単位で変換アルゴリズムを変えるようにするようなことも可能である。このとき、メール設定情報が重複しないように考慮する必要があるが、メール情報の生成アルゴリズムをハッキングされるリスクをさらに低減できるため、セキュリティ上有効性が向上する。
【図面の簡単な説明】
【０１５０】
【図１】本発明の第一の実施形態におけるメールシステムの構成を示すブロック図である。
【図２】第一の実施形態におけるメールクライアント装置とメールサーバ装置の接続例を図示した図である。
【図３】第一の実施形態におけるクライアント装置およびメールサーバ装置の動作の流れを示すフロー図である。
【図４】第一の実施形態におけるメールアカウント情報生成部が、ユニークな識別情報から第一のメールアカウント情報を生成するアルゴリズムの一例を示す動作フロー図である。
【図５】０ｘ００〜０ｘ０ｆまでの数値を無作為な文字列に変換する文字列変換テーブル例を示したものである。
【図６】ユニークな識別子を無作為な文字列に変換する具体例を示す図である。
【図７】第一のメールアカウント情報格納部に書き込まれた第一のメールアカウント情報の具体例を示す図である。
【図８】本発明の第二の実施形態におけるメールシステムのクライアント装置を示す構成のブロック図である。
【図９】第二の実施形態におけるクライアント装置の動作の流れを示すフロー図である。
【図１０】第二の実施形態における生産設備の構成を示すブロック図である。
【図１１】図１０の生産設備の動作を示すフロー図である。
【図１２】本発明の第三の実施形態における生産設備の構成を示すブロック図である。
【図１３】図１２の生産設備の動作の流れを示すフロー図である。
【図１４】関連するメールシステムの一例を示すシステム構成図である。
【図１５】関連するメールシステムにおいて、ユーザがメールサービスを利用する場合の、メールアカウント情報の設定手順を示すフロー図である。
【符号の説明】
【０１５１】
１    クライアント装置
２    メールサーバ装置
１０    第一のメールアカウント情報生成設定部
１０−１    メールアカウント情報生成部
１０−２    メールアカウント情報書き込み部
１１    第一の記憶部
１１−１    第一のメールアカウント情報格納部
１２    メールクライアント機能制御部
２０    第二のメールアカウント情報生成設定部
２０−１    メールアカウント情報生成部
２０−２    メールアカウント情報書き込み部
２１    第二の記憶部
２１−１    第二のメールアカウント情報格納部
２２    メールサーバ機能制御部
３    インターネット
１Ａ    クライアント装置
１０Ａ    第一のメールアカウント情報生成設定部
１０Ａ−１    メールアカウント情報生成部
１１Ａ    第一の記憶部
１１Ａ−２    ユニークな識別情報格納部
１Ｊ    生産設備
１１Ｊ    ユニークな識別情報発生部
１２Ｊ    ユニークな識別情報書き込み部
１３Ｊ    不揮発性メモリチップ
１３Ｊ−１    ユニークな識別情報
１Ｑ    生産設備
１１Ｑ    ユニークな識別情報発生部
１２Ｑ    メールアカウント情報生成部
１３Ｑ    メールアカウント情報設定部
１４Ｑ    出力部
２Ｑ    不揮発性メモリチップ
２１Ｑ    メールアカウント情報
１Ｐ    クライアント装置
１１Ｐ    主制御部
１２Ｐ    操作部
１３Ｐ    表示部
１４Ｐ    第一の記憶部
１４Ｐ−１    第一のメールアカウント情報格納部
１５Ｐ    ＬＡＮコントローラ
１６Ｐ    ネットワークプロトコル制御部
１７Ｐ    メールクライアント機能制御部
１８Ｐ    ＲＯＭ
１９Ｐ    ＲＡＭ
２Ｐ    メールサーバ装置
２１Ｐ    主制御部
２２Ｐ    操作部
２３Ｐ    表示部
２４Ｐ    第二の記憶部
２４Ｐ−１    第二のメールアカウント情報格納部
２５Ｐ    ＬＡＮコントローラ
２６Ｐ    ネットワークプロトコル制御部
２７Ｐ    メールサーバ機能制御部
２８Ｐ    ＲＯＭ
２９Ｐ    ＲＡＭ
３０Ｐ    メール保存部
３Ｐ    インターネット
【図１】
2010009107.tif 000003
【図２】
2010009107.tif 000004
【図３】
2010009107.tif 000005
【図４】
2010009107.tif 000006
【図５】
2010009107.tif 000007
【図６】
2010009107.tif 000008
【図７】
2010009107.tif 000009
【図８】
2010009107.tif 000010
【図９】
2010009107.tif 000011
【図１０】
2010009107.tif 000012
【図１１】
2010009107.tif 000013
【図１２】
2010009107.tif 000014
【図１３】
2010009107.tif 000015
【図１４】
2010009107.tif 000016
【図１５】
2010009107.tif 000017